(57)【特許請求の範囲】
【請求項１】
キャビネット内の収納棚に垂設して使用される収納棚下垂設用ラックであって、
奥行き方向に凹んだ縦断面視略コの字状のラック部と、
このラック部のコの字の上側先端から上向きに設けられ、前記収納棚の正面に接する正面部と、
この正面部から奥行き方向に延設され、前記収納棚へ引っ掛けて垂設する垂設部と、
からなり、
前記ラック部の背面側に、前記キャビネットの内壁へ着脱可能に取り付けるための固定補助部材を取り付けた、
ことを特徴とする収納棚下垂設用ラック。
【請求項２】
キャビネット内の収納棚に垂設して使用される収納棚下垂設用ラックであって、
奥行き方向に凹んだ縦断面視略コの字状のラック部と、
このラック部のコの字の上側先端から上向きに設けられ、前記収納棚の正面に接する正面部と、
この正面部から奥行き方向に延設され、前記収納棚へ引っ掛けて垂設する垂設部と、
からなり、
前記ラック部の側面に、フック状の引っ掛け部を突設した、
ことを特徴とする収納棚下垂設用ラック。
【請求項３】
前記垂設部の形状を、前記収納棚の上面形状に対応させた、
ことを特徴とする請求項１又は請求項２に記載の収納棚下垂設用ラック。
【発明の詳細な説明】
【技術分野】
【０００１】
本発明は、収納棚に収納した収納物の有効高さが各々異なるために発生するキャビネット内のデッドスペースを有効利用することができる収納棚下垂設用ラックに関する。
【背景技術】
【０００２】
洗面化粧台の後部上側に設置される鏡の裏面にキャビネットを備えさせ、このキャビネットの扉を鏡として構成したミラーキャビネットが、例えば、下記特許文献１にて提案されている。このようなミラーキャビネットでは、鏡を中央の主鏡と、その両側の袖鏡の三枚とし、それぞれを、その裏側に位置した収納部の前面開口部に沿った形状の枠体を介して、前方に回動引き出し可能に取り付けることにより、洗面化粧台を使用する際に用いる洗顔料、化粧品、整髪剤のボトル類やチューブ類、その他ドライヤー、ブラシ、タオル、石鹸、歯ブラシ、歯磨き粉等の収納物を、予めキャビネット内の固定棚に収納可能にし、洗面所スペースが雑然とならないようにする工夫がなされている。
【０００３】
また、有効高さの違うこれらの収納物を固定棚に収納すると、収納空間の上部にデッドスペースが発生してしまうため、高さ違いの固定棚を設けることや収納間口を小さくするなどのさらなる工夫も行われている。しかし、高さ違いの固定棚の設置や間口を小さくすることは、部品点数を増やしてコスト高となる問題、縦仕切りが多くなるために、その分の収納スペースが無駄になるという問題等があった。また、従来のミラーキャビネットでは、有効高さの高いところに背の低い収納物を平置きすると収納効率が悪いため、これらを重ねて収納することが多いが、この収納のやり方では出し入れが容易でなく、使い勝手が悪いという指摘もあった。
【先行技術文献】
【特許文献】
【０００４】
【特許文献１】特開２００５−２４５４７８号公報
【発明の概要】
【発明が解決しようとする課題】
【０００５】
上述の通り、収納物の有効高さの違いによってキャビネットに発生するデッドスペースは、思惑通りに解消していないという現状がある。また、背の低い収納物の適切な収納スペースが、ミラーキャビネットに設けられていないという問題もある。
【０００６】
本発明は、上記実情に鑑み提案され、ミラーキャビネットにデッドスペースが発生しても、そのデッドスペースに後付で新たな収納可能空間をつくるという新しい思想で創作したもので、キャビネット内のデッドスペースの解消とともに、背の低い収納物の出し入れ等にも適した収納棚下垂設用ラックを提供することを目的とする。
【課題を解決するための手段】
【０００７】
上記目的を達成するために、本発明は、キャビネット内の収納棚に垂設して使用される収納棚下垂設用ラックであって、奥行き方向に凹んだ縦断面視略コの字状のラック部と、このラック部のコの字の上側先端から上向きに設けられ、前記収納棚の正面に接する正面部と、この正面部から奥行き方向に延設され、前記収納棚へ引っ掛けて垂設する垂設部と、からなる。
【０００８】
特に、上記ラック部の背面側にキャビネットの内壁へ着脱可能に取り付けるための固定補助部材を取り付けることを特徴とする。
【０００９】
また、本発明は、キャビネット内の収納棚に垂設して使用される収納棚下垂設用ラックであって、奥行き方向に凹んだ縦断面視略コの字状のラック部と、このラック部のコの字の上側先端から上向きに設けられ、前記収納棚の正面に接する正面部と、この正面部から奥行き方向に延設され、前記収納棚へ引っ掛けて垂設する垂設部と、からなり、ラック部の側面にフック状の引っ掛け部を突設することを特徴とする。上記垂設部の形状を収納棚の上面形状に対応させたりすると、さらに好ましい。
【発明の効果】
【００１０】
本発明では、キャビネット内の収納棚に垂設して使用される収納棚下垂設用ラックを、奥行き方向に凹んだ縦断面視略コの字状のラック部と、このラック部のコの字の上側先端から上向きに設けられ、収納棚の正面に接する正面部と、この正面部から奥行き方向に延設され、収納棚へ引っ掛けて垂設する垂設部とから構成したので、ミラーキャビネット内にデッドスペースが発生しても、そのデッドスペースの直上にある収納棚に垂設部を垂設することにより、奥行き方向に凹んだ縦断面視略コの字状のラック部が、キャビネット内の新たな収納空間となるため、デッドスペースを解消することができる。さらに、収納棚に垂設して形成される新たな収納空間は、キャビネット内に形成された空間に比べれば小さな空間であるので、背の低い収納物の出し入れ等にも適するほか、洗面化粧台の上方に設置されるキャビネットに本発明品を適用すれば、洗面化粧台の使用時に身の回り品等の小物を仮置きするスペースとしても活用することができるため、使い勝手のよい収納棚下垂設用ラックを提供することができる。
【００１１】
さらに、上記ラック部の背面側にキャビネットの内壁へ着脱可能に取り付けるための固定補助部材を取り付ければ、垂設部による垂設を補強してキャビネット内に本発明品を固定することができるため、キャビネット内の新たな収納空間としての機能を十分に果たすことができ、固定補助部材がキャビネットの内壁へ着脱可能に取り付けるものであるため、収納棚からの取り外しも簡便にでき、さらに使い勝手のよい収納棚下垂設用ラックとすることができる。
【００１２】
また、ラック部の側面にフック状の引っ掛け部を突設すれば、ヘアバンド等のリング状の収納物を手軽に収納することが可能になり、垂設部の形状を収納棚の上面形状に対応させれば、垂設した後に、がたつかないようにすることができて、さらにまた使い勝手のよい収納棚下垂設用ラックとすることができる。
【図面の簡単な説明】
【００１３】
【図１】第１実施形態に係る収納棚下垂設用ラックの正面図である。
【図２】第１実施形態に係る収納棚下垂設用ラックの背面図である。
【図３】第１実施形態に係る収納棚下垂設用ラックの平面図である。
【図４】第１実施形態に係る収納棚下垂設用ラックの底面図である。
【図５】第１実施形態に係る収納棚下垂設用ラックの右側面図である。
【図６】第１実施形態に係る収納棚下垂設用ラックの左側面図である。
【図７】図１におけるＶＩＩ−ＶＩＩ線断面図である。
【図８】第１実施形態に係る収納棚下垂設用ラックの斜視図である。
【図９】第１実施形態に係る収納棚下垂設用ラックの背面形態を更に説明するため、図８の奥行き側から視するとともに固定補助部材を外した形態を現した分解斜視図である。
【図１０】第１実施形態に係る収納棚下垂設用ラックの使用状態を説明する説明図である。
【図１１】第２実施形態に係る収納棚下垂設用ラックの正面図である。
【図１２】第２実施形態に係る収納棚下垂設用ラックの背面図である。
【図１３】第２実施形態に係る収納棚下垂設用ラックの平面図である。
【図１４】第２実施形態に係る収納棚下垂設用ラックの底面図である。
【図１５】第２実施形態に係る収納棚下垂設用ラックの右側面図である。
【図１６】第２実施形態に係る収納棚下垂設用ラックの左側面図である。
【図１７】図１１におけるＸＶＩＩ−ＸＶＩＩ線断面図である。
【図１８】第２実施形態に係る収納棚下垂設用ラックの斜視図である。
【図１９】第２実施形態に係る収納棚下垂設用ラックの背面形態を更に説明するため、図１８の奥行き側から視するとともに固定補助部材を外した形態を現した分解斜視図である。
【図２０】第２実施形態に係る収納棚下垂設用ラックの使用状態を説明する説明図である。
【図２１】第３実施形態に係る収納棚下垂設用ラックの正面図である。
【図２２】第３実施形態に係る収納棚下垂設用ラックの背面図である。
【図２３】第３実施形態に係る収納棚下垂設用ラックの平面図である。
【図２４】第３実施形態に係る収納棚下垂設用ラックの底面図である。
【図２５】第３実施形態に係る収納棚下垂設用ラックの右側面図である。
【図２６】第３実施形態に係る収納棚下垂設用ラックの左側面図である。
【図２７】図２１におけるＸＸＶＩＩ−ＸＸＶＩＩ線断面図である。
【図２８】第３実施形態に係る収納棚下垂設用ラックの斜視図である。
【図２９】第３実施形態に係る収納棚下垂設用ラックの背面形態を更に説明するため、図２８の奥行き側から視するとともに固定補助部材を外した形態を現した分解斜視図である。
【図３０】第３実施形態に係る収納棚下垂設用ラックの使用状態を説明する説明図である。
【図３１】第４実施形態に係る収納棚下垂設用ラックの正面図である。
【図３２】第４実施形態に係る収納棚下垂設用ラックの背面図である。
【図３３】第４実施形態に係る収納棚下垂設用ラックの平面図である。
【図３４】第４実施形態に係る収納棚下垂設用ラックの底面図である。
【図３５】第４実施形態に係る収納棚下垂設用ラックの右側面図である。
【図３６】第４実施形態に係る収納棚下垂設用ラックの左側面図である。
【図３７】図３１におけるＸＸＸＶＩＩ−ＸＸＸＶＩＩ線断面図である。
【図３８】第４実施形態に係る収納棚下垂設用ラックの斜視図である。
【発明を実施するための形態】
【００１４】
以下、本発明に係るいくつかの実施形態を、図面を参照しながら詳細に説明する。
なお、以下の説明において、正面、背面、平面、底面、側面等の文言は原則、図面と整合させて用いるが、説明によっては正面を手前と、背面を奥行きと置き換えて説明しているので留意が必要である。また、本願において「垂設」とは、垂れ下がるように設けることを意味する。
【００１５】
（第１実施形態）
まず、図１〜図１０に示すように、第１実施形態に係る収納棚下垂設用ラック１は、奥行き方向に凹んだ縦断面視略コの字状のラック部１１（図５〜図７参照）と、このラック部１１の略コの字の上側面の先端から上向きに、例えば、直立させて設けられた正面部２１（図５〜図７参照）と、この正面部２１の、例えば、上端から奥行き方向に延設された垂設部３１（図５〜図７参照）とからなり、例えば、プラスチックで一体的に成型されるものである。また、ラック部１１の背面には、図２に示すように、固定補助部材としてのゴム製吸盤４１が、例えば、ラック部１１の背面の中央に１つ取り付けられている。
【００１６】
ラック部１１は、図８に示すように、略コの字の下側面にあたる底面上に、載置部１１ａおよび膨らみ部１１ｂが一体成型の際に同時に成型され、膨らみ部１１ｂが、載置した物品を正面側（手前側）から落下しないようにするため、載置部１１ａの厚みよりも厚くして手前側の左右を横断した形態となっている。また、略コの字の上側面は、図５、図６に示すように、垂設部３１の奥行き方向へ延設されている向きに対し、やや下方に傾斜した形態にて成型されている。これは、収納棚下垂設用ラック１を収納棚に垂設するのをより簡便にするためであり、また、収納棚からの取り外しもより簡便にするためである。
なお、ラック部１１の奥行き方向の長さは、垂設しようとするキャビネット内の奥行きとほぼ同じ長さ又はやや短めとすることが、ゴム製吸盤４１をキャビネット内の奥行き側内壁へ取り付けやすくするために好ましい形態となる。また、垂設部３１の奥行き方向の長さは、上部の収納棚の使い勝手を考慮しつつ垂設することを可能とする範囲で、ラック部１１の奥行き方向の長さよりも短いものとすることが好ましい。
【００１７】
次に、第１実施形態に係る収納棚下垂設用ラック１に関し、図１０に基づいて、洗面化粧台に設置したミラーキャビネットＭＣに垂設する使用方法について説明する。
【００１８】
図１０に示すように、洗面化粧台のミラーキャビネットＭＣには、複数の収納棚Ｓによって区切られた収納空間が備えられ、各収納空間に、洗顔料、化粧品、整髪剤のボトル類やチューブ類、その他ドライヤー、ブラシ、タオル、石鹸、歯ブラシ、歯磨き粉等の背の高さが異なる様々な収納物Ｏが収納されている。そして、背の低い収納物Ｏが収納された収納棚Ｓの収納空間には、その上方部分にデッドスペースＤＳが発生している。そこで、本発明に係る収納棚下垂設用ラック１を、デッドスペースＤＳの直上の収納棚Ｓに垂設することにより、デッドスペースＤＳを有効利用するのに用いる。
【００１９】
収納棚下垂設用ラック１の垂設は、具体的には、デッドスペースＤＳの直上の収納棚Ｓに、まず収納棚下垂設用ラック１の垂設部３１を載置し、次に、正面部２１を収納棚Ｓの正面に当接するまで押し込こんで固定する。さらに、ラック部１１の背面に取り付けたゴム製吸盤４１を、ミラーキャビネットＭＣの奥行き側内壁へくっつければ完了する。
これにより、略コの字状のラック部１１の下側面上（載置部１１ａ）を新たな収納スペースとして有効活用することができる。また、洗面化粧台の使用時に取り外す身の回り品、例えば、アクセサリー、ヘアピン等の小物を仮置きして使用することもでき、仮置きした身の回り品等を身につけた後においては、他の物品を収納する収納スペースとして利用してもよいし、収納棚下垂設用ラック１を取り外してもよい。
なお、収納棚下垂設用ラック１には、例えば、アクセサリー、ヘアピン等の小物を仮置きする場所として、載置部１１ａ内に底面の厚みを薄くした領域を形成しても好ましい実施形態となる。
【００２０】
そうすると、本発明に係る収納棚下垂設用ラック１は、ミラーキャビネットＭＣの収納棚Ｓに垂設することにより、ミラーキャビネットＭＣ内にて発生したデッドスペースＤＳを、ラック部１１を新たな収納スペースとした有効空間へと、たちまち変化させることができる。さらに、この新たな収納スペースは、洗面化粧台の使用時の身の回り品の仮置きスペースとしても活用することができる。例えば、新たな収納スペースとして利用する場合には、新たな収納空間がキャビネット内に形成された空間に比べれば小さな空間であるので、背の低い収納物の出し入れ等に適するものとすることができる。
なお、垂設部３１および正面部２１の収納棚Ｓへの垂設による固定と、ゴム製吸盤４１のミラーキャビネットＭＣの奥行き側内壁への固定により、収納棚下垂設用ラック１は、ミラーキャビネットＭＣに完全に固定されるので、過度な重量物を載置しない限り、ミラーキャビネットＭＣから外れることがないほか、ラック部１１に仮置きした身の回り品を思いがけず触れる等のことがあっても、ラック部１１の正面側（手前側）に、載置部１１ａよりも厚みを厚くして設けられた左右を横断する膨らみ部１１ｂに引っかかるので、仮置きした身の回り品が正面側（手前側）から落下することもなくなって、使い勝手のよいものとなる。
【００２１】
（第２実施形態）
第２実施形態に係る収納棚下垂設用ラック２は、図１１〜図２０に示すとおりであって、ラック部１２の側面から、先端が上方へ向いたフック状の引っ掛け部１２ｃが突設されている構成が、第１実施形態に係る収納棚下垂設用ラック１と異なるものである。
【００２２】
そうすると、第２実施形態に係る収納棚下垂設用ラック２は、第１実施形態により得られる効果に加え、ラック部１２の側面から突設されたフック状の引っ掛け部１２ｃを、ヘアバンド、ヘアゴム等のリング状の身の回り品の洗面化粧台使用時の収納場所や、仮置き場所として活用することができ、さらに使い勝手のよい収納棚下垂設用ラック２となる。
【００２３】
（第３実施形態）
第３実施形態に係る収納棚下垂設用ラック３は、図２１〜図３０に示すとおりであって、特に、図２５〜図２８に示すように、垂設部３３の形状を収納棚Ｓの上面形状に対応させ、例えば、垂設部３３の正面部２３側を凸状３３ａに成型して収納棚Ｓの上面形状に対応させた構成が、第１実施形態に係る収納棚下垂設用ラック１と異なるものである。
【００２４】
そうすると、第３実施形態に係る収納棚下垂設用ラック３は、第１実施形態により得られる効果に加え、垂設部３３の形状を収納棚Ｓの上面形状に対応させて垂設部３３の正面部２３側を凸状３３ａに成型しているので、垂設した後もがたつくことがなくなって、収納スペースとしても、仮置きスペースとしても、さらに使い勝手のよい収納棚下垂設用ラック３となる。また、垂設部３３の正面部２３側を凸状３３ａには、収納棚からの収納物の落下を防ぐための土手のような役割を付与することもできる。
【００２５】
なお、本発明に係る収納棚下垂設用ラックは、第１実施形態乃至第３実施形態を組み合わせ、すなわち、第１実施形態に係る収納棚下垂設用ラック１について、ラック部の側面にフック状の引っ掛け部を突設し、垂設部の形状を収納棚の上面形状に対応させて成型して構成した形態であっても、好ましい実施形態となる。
また、本発明に係る収納棚下垂設用ラックは、ラック部の背面に固定補助部材としてのゴム製吸盤を取り付けなくても収納棚に垂設することが可能であって、例えば、図９、図１９、図２９に示すラック部の背面に孔があるような形態であっても、ミラーキャビネット内のデッドスペースの直上の収納棚に後付けにて垂設することにより、ラック部がキャビネット内の新たな収納空間となってデッドスペースを解消することができる。
【００２６】
（第４実施形態）
第４実施形態に係る収納棚下垂設用ラック４は、図３１〜図３８に示すとおりであって、上述したようにラック部の背面に固定補助部材を取り付けなくても収納棚に垂設することが可能であるため、第１実施形態のラック部の背面からゴム製吸盤を取り除くとともに、このゴム製吸盤を取り付ける孔をラック部の背面に形成しないで構成したものである。
【００２７】
そして、第４実施形態に係る収納棚下垂設用ラック４では、ラック部１４の背面に固定補助部材（ゴム製吸盤）が存在しなくても収納棚に垂設することができ、ミラーキャビネット内のデッドスペースの直上の収納棚に後付けにて垂設すれば、ラック部１４がキャビネット内の新たな収納空間となってデッドスペースを解消することができる。
【００２８】
このように、本発明では、ミラーキャビネット内にデッドスペースが発生したときに、そのデッドスペースの直上の収納棚に後付けにて垂設することにより、ラック部がキャビネット内の新たな収納空間となってデッドスペースを解消することができ、身の回り品の仮置きスペースや背の低い収納物の収納スペースとしても有効利用でき、取り付けや取り外しも簡便な使い勝手のよい収納棚下垂設用ラックを提供することができる。さらに、ラック部の側面にフック状の引っ掛け部を突設すれば、リング状の収納物を手軽に収納することが可能になり、垂設部の形状を収納棚の上面形状に対応させれば、垂設した後に、がたつかないようにすることができるため、さらに使い勝手のよい収納棚下垂設用ラックを提供することができる。なお、本発明は上述の通り、ラック部の背面に固定補助部材（ゴム製吸盤）を取り付けない形態であっても収納棚に垂設することができる。
【００２９】
以上、本発明に係る実施形態のいくつかを詳述したが、本発明は、これに限定されるものではない。そして、本発明は、特許請求の範囲に記載された事項を逸脱することがなければ、種々の設計変更を行うことが可能であり、製造等については、それぞれ公知の材質を用いればよく、また、周知の技術手段によって成型すれば達成することができる。
また、上記各実施形態では、収納棚下垂設用ラックのラック部の背面に、固定補助部材を１つ取り付けた形態を例示して説明したが、垂設する収納棚やミラーキャビネットの形態等との関係で２つ、３つと複数設けても好ましい形態となる。このほか、収納棚下垂設用ラックのラック部の略コの字の上側面の先端に設ける正面部は、収納棚に対応させて上向きに設ければよく、必ずしも直立させて設ける形態に限られるものではない。収納棚下垂設用ラックの正面部から奥行き方向に延設される垂設部については、必ずしも正面部の上端から延設する形態に限られるものではなく、例えば、収納棚下垂設用ラックの正面部の途中から奥行き方向に垂設部を延設すれば、本発明に係る第３実施形態の凸状３３ａと同様に、垂設部よりも上方にある正面部の一部に土手のような役割を付与して、収納棚からの収納物の落下を防ぐことが可能となる。
【符号の説明】
【００３０】
１・・・収納棚下垂設用ラック（第１実施形態）
２・・・収納棚下垂設用ラック（第２実施形態）
３・・・収納棚下垂設用ラック（第３実施形態）
４・・・収納棚下垂設用ラック（第４実施形態）
１１・・ラック部（第１実施形態）
１１ａ・載置部
１１ｂ・膨らみ部
１２・・ラック部（第２実施形態）
１２ａ・載置部
１２ｂ・膨らみ部
１２ｃ・フック状の引っ掛け部
１３・・ラック部（第３実施形態）
１３ａ・載置部
１３ｂ・膨らみ部
１４・・ラック部（第４実施形態）
２１・・正面部（第１実施形態）
２２・・正面部（第２実施形態）
２３・・正面部（第３実施形態）
２４・・正面部（第４実施形態）
３１・・垂設部（第１実施形態）
３２・・垂設部（第２実施形態）
３３・・垂設部（第３実施形態）
３３ａ・凸状
３４・・垂設部（第４実施形態）
４１・・ゴム製吸盤（固定補助部材：第１実施形態）
４２・・ゴム製吸盤（固定補助部材：第２実施形態）
４３・・ゴム製吸盤（固定補助部材：第３実施形態）
ＤＳ・・デッドスペース
ＭＣ・・ミラーキャビネット
Ｓ・・・収納棚
Ｏ・・・収納物
【図１】
0005531210.tif 000002
【図２】
0005531210.tif 000003
【図３】
0005531210.tif 000004
【図４】
0005531210.tif 000005
【図５】
0005531210.tif 000006
【図６】
0005531210.tif 000007
【図７】
0005531210.tif 000008
【図８】
0005531210.tif 000009
【図９】
0005531210.tif 000010
【図１０】
0005531210.tif 000011
【図１１】
0005531210.tif 000012
【図１２】
0005531210.tif 000013
【図１３】
0005531210.tif 000014
【図１４】
0005531210.tif 000015
【図１５】
0005531210.tif 000016
【図１６】
0005531210.tif 000017
【図１７】
0005531210.tif 000018
【図１８】
0005531210.tif 000019
【図１９】
0005531210.tif 000020
【図２０】
0005531210.tif 000021
【図２１】
0005531210.tif 000022
【図２２】
0005531210.tif 000023
【図２３】
0005531210.tif 000024
【図２４】
0005531210.tif 000025
【図２５】
0005531210.tif 000026
【図２６】
0005531210.tif 000027
【図２７】
0005531210.tif 000028
【図２８】
0005531210.tif 000029
【図２９】
0005531210.tif 000030
【図３０】
0005531210.tif 000031
【図３１】
0005531210.tif 000032
【図３２】
0005531210.tif 000033
【図３３】
0005531210.tif 000034
【図３４】
0005531210.tif 000035
【図３５】
0005531210.tif 000036
【図３６】
0005531210.tif 000037
【図３７】
0005531210.tif 000038
【図３８】
0005531210.tif 000039